(57)【要約】【課題】    本考案は、施工しやすいＵ字溝を提供する。【解決手段】    Ｕ字溝１は、底面部１１、該底面部１１の一方側から立ち上がった第１の立設部１２、底面部１１の他方側から立ち上がった第２の立設部１３を有する略Ｕ字形状のＵ字溝本体１０と、Ｕ字溝本体１０の長手方向の一方の端面は、一方端面部１４であり、Ｕ字溝本体１０の長手方向の他方の端面は、他方端面部１５であり、一方端面部１４は、一方基部１４ａと一方突出部１４ｂとを有し、一方突出部１４ｂは、一方基部１４ａの面より突出すると共に、平坦な面を有し 、他  方端面部１５は、他方基部１５ａと他方突出部１５ｂとを有し、他方突出部１５ｂは、他方基部１５ａの面より突出すると共に、平坦な面を有しているもので  ある。【選択図】    図１
0003115562.tif 000002
【実用新案登録請求の範囲】
【請求項１】
底面部、該底面部の一方側から立ち上がった第１の立設部、前記底面部の他方側から立ち上がった第２の立設部を有する略Ｕ字形状のＵ字溝本体と、
前記Ｕ字溝本体の長手方向の一方の端面は、一方端面部であり、
前記Ｕ字溝本体の長手方向の他方の端面は、他方端面部であり、
前記一方端面部は、一方基部と一方突出部とを有し、
前記一方突出部は、前記一方基部の面より突出すると共に、平坦な面を有し 、
前記他方端面部は、他方基部と他方突出部とを有し、
前記他方突出部は、前記他方基部の面より突出すると共に、平坦な面を有し ていることを特徴とするＵ字溝。
【請求項２】
一方基部の外縁部は、外側に位置するＵ字形状の一方基部外側Ｕ字形状縁部と、内側に位置するＵ字形状の一方基部内側Ｕ字形状縁部と、前記一方基部外側Ｕ字形状縁部の一方の端部と前記一方基部内側Ｕ字形状縁部の一方の端部とを接続する一方基部一方端縁部と、前記一方基部外側Ｕ字形状縁部の他方の端部と前記一方基部内側Ｕ字形状縁部の他方の端部とを接続する一方基部他方端縁部とで構成され、
前記一方突出部の外縁部は、外側に位置するＵ字形状の一方突出部外側Ｕ字形状縁部と、内側に位置するＵ字形状の一方突出部内側Ｕ字形状縁部と、前記一方突出部外側Ｕ字形状縁部の一方の端部と前記一方突出部内側Ｕ字形状縁部の一方の端部とを接続する一方突出部一方端縁部と、前記一方突出部外側Ｕ字形状縁部の他方の端部と前記一方突出部内側Ｕ字形状縁部の他方の端部とを接続する一方突出部他方端縁部とで構成され、
前記一方基部外側Ｕ字形状縁部と前記一方基部内側Ｕ字形状縁部とは、略平行で、
前記一方突出部外側Ｕ字形状縁部と前記一方突出部内側Ｕ字形状縁部とは、略平行で、
前記一方基部外側Ｕ字形状縁部と前記一方突出部外側Ｕ字形状縁部とは同面で、
前記一方基部一方端縁部の前記底面部からの高さは、一方突出部一方端縁部の前記底面部からの高さより低く、
前記一方基部他方端縁部の前記底面部からの高さは、一方突出部他方端縁部の前記底面部からの高さより低く、
前記一方基部外側Ｕ字形状縁部と一方基部内側Ｕ字形状縁部との間隔は、一方突出部外側Ｕ字形状縁部と一方突出部内側Ｕ字形状縁部との間隔より大きく、    他方基部の外縁部は、外側に位置するＵ字形状の他方基部外側Ｕ字形状縁部と、内側に位置するＵ字形状の他方基部内側Ｕ字形状縁部と、前記他方基部外側Ｕ字形状縁部の一方の端部と前記他方基部内側Ｕ字形状縁部の一方の端部とを接続する他方基部一方端縁部と、前記他方基部外側Ｕ字形状縁部の他方の端部と前記他方基部内側Ｕ字形状縁部の他方の端部とを接続する他方基部他方端縁部とで構成され、
前記他方突出部の外縁部は、外側に位置するＵ字形状の他方突出部外側Ｕ字形状縁部と、内側に位置するＵ字形状の他方突出部内側Ｕ字形状縁部と、前記他方突出部外側Ｕ字形状縁部の一方の端部と前記他方突出部内側Ｕ字形状縁部の一方の端部とを接続する他方突出部一方端縁部と、前記他方突出部外側Ｕ字形状縁部の他方の端部と前記他方突出部内側Ｕ字形状縁部の他方の端部とを接続する他方突出部他方端縁部とで構成され、
前記他方基部外側Ｕ字形状縁部と前記他方基部内側Ｕ字形状縁部とは、略平行で、
前記他方突出部外側Ｕ字形状縁部と前記他方突出部内側Ｕ字形状縁部とは、略平行で、
前記他方基部外側Ｕ字形状縁部と前記他方突出部外側Ｕ字形状縁部とは同面で、
前記他方基部一方端縁部の前記底面部からの高さは、他方突出部一方端縁部の前記底面部からの高さより低く、
前記他方基部他方端縁部の前記底面部からの高さは、他方突出部他方端縁部の前記底面部からの高さより低く、
前記他方基部外側Ｕ字形状縁部と他方基部内側Ｕ字形状縁部との間隔は、他方突出部外側Ｕ字形状縁部と他方突出部内側Ｕ字形状縁部との間隔より大きくなっていることを特徴とする請求項１記載のＵ字溝。
【考案の詳細な説明】
【技術分野】
【０００１】
本考案は、Ｕ字溝に係り、特に、施工しやすいＵ字溝に関する。
【背景技術】
【０００２】
側溝に用いられるものとしてＵ字溝がある。このＵ字溝にあっては、該Ｕ字溝の長手方向に隙間を設けると共に、該Ｕ字溝を順次並べ、該隙間にモルタル等の固定材を充填して接続している。
しかしながら、上述した隙間にモルタル等の固定材を充填する際、該固定材が漏れないように部材等を使用しなければならず、施工しずらいという問題点があった。
【考案の開示】
【考案が解決しようとする課題】
【０００３】
本考案は、前記した問題点を除去するようにしたＵ字溝を提供することを目的としている。
【課題を解決するための手段】
【０００４】
前記した目的を達成するための請求項１記載のＵ字溝は、底面部、該底面部の一方側から立ち上がった第１の立設部、前記底面部の他方側から立ち上がった第２の立設部を有する略Ｕ字形状のＵ字溝本体と、前記Ｕ字溝本体の長手方向の一方の端面は、一方端面部であり、前記Ｕ字溝本体の長手方向の他方の端面は、他方端面部であり、前記一方端面部は、一方基部と一方突出部とを有し、前記一方突出部は、前記一方基部の面より突出すると共に、平坦な面を有し 、前記他  方端面部は、他方基部と他方突出部とを有し、前記他方突出部は、前記他方基部の面より突出すると共に、平坦な面を有しているものである。
【０００５】
また、請求項２記載のＵ字溝は、請求項１記載のＵ字溝において、一方基部の外縁部は、外側に位置するＵ字形状の一方基部外側Ｕ字形状縁部と、内側に位置するＵ字形状の一方基部内側Ｕ字形状縁部と、前記一方基部外側Ｕ字形状縁部の一方の端部と前記一方基部内側Ｕ字形状縁部の一方の端部とを接続する一方基部一方端縁部と、前記一方基部外側Ｕ字形状縁部の他方の端部と前記一方基部内側Ｕ字形状縁部の他方の端部とを接続する一方基部他方端縁部とで構成され、前記一方突出部の外縁部は、外側に位置するＵ字形状の一方突出部外側Ｕ字形状縁部と、内側に位置するＵ字形状の一方突出部内側Ｕ字形状縁部と、前記一方突出部外側Ｕ字形状縁部の一方の端部と前記一方突出部内側Ｕ字形状縁部の一方の端部とを接続する一方突出部一方端縁部と、前記一方突出部外側Ｕ字形状縁部の他方の端部と前記一方突出部内側Ｕ字形状縁部の他方の端部とを接続する一方突出部他方端縁部とで構成され、前記一方基部外側Ｕ字形状縁部と前記一方基部内側Ｕ字形状縁部とは、略平行で、前記一方突出部外側Ｕ字形状縁部と前記一方突出部内側Ｕ字形状縁部とは、略平行で、前記一方基部外側Ｕ字形状縁部と前記一方突出部外側Ｕ字形状縁部とは同面で、前記一方基部一方端縁部の前記底面部からの高さは、一方突出部一方端縁部の前記底面部からの高さより低く、前記一方基部他方端縁部の前記底面部からの高さは、一方突出部他方端縁部の前記底面部からの高さより低く、前記一方基部外側Ｕ字形状縁部と一方基部内側Ｕ字形状縁部との間隔は、一方突出部外側Ｕ字形状縁部と一方突出部内側Ｕ字形状縁部との間隔より大きく、他方基部の外縁部は、外側に位置するＵ字形状の他方基部外側Ｕ字形状縁部と、内側に位置するＵ字形状の他方基部内側Ｕ字形状縁部と、前記他方基部外側Ｕ字形状縁部の一方の端部と前記他方基部内側Ｕ字形状縁部の一方の端部とを接続する他方基部一方端縁部と、前記他方基部外側Ｕ字形状縁部の他方の端部と前記他方基部内側Ｕ字形状縁部の他方の端部とを接続する他方基部他方端縁部とで構成され、前記他方突出部の外縁部は、外側に位置するＵ字形状の他方突出部外側Ｕ字形状縁部と、内側に位置するＵ字形状の他方突出部内側Ｕ字形状縁部と、前記他方突出部外側Ｕ字形状縁部の一方の端部と前記他方突出部内側Ｕ字形状縁部の一方の端部とを接続する他方突出部一方端縁部と、前記他方突出部外側Ｕ字形状縁部の他方の端部と前記他方突出部内側Ｕ字形状縁部の他方の端部とを接続する他方突出部他方端縁部とで構成され、前記他方基部外側Ｕ字形状縁部と前記他方基部内側Ｕ字形状縁部とは、略平行で、前記他方突出部外側Ｕ字形状縁部と前記他方突出部内側Ｕ字形状縁部とは、略平行で、前記他方基部外側Ｕ字形状縁部と前記他方突出部外側Ｕ字形状縁部とは同面で、前記他方基部一方端縁部の前記底面部からの高さは、他方突出部一方端縁部の前記底面部からの高さより低く、前記他方基部他方端縁部の前記底面部からの高さは、他方突出部他方端縁部の前記底面部からの高さより低く、前記他方基部外側Ｕ字形状縁部と他方基部内側Ｕ字形状縁部との間隔は、他方突出部外側Ｕ字形状縁部と他方突出部内側Ｕ字形状縁部との間隔より大きくなっているものである。
【考案の効果】
【０００６】
請求項１記載のＵ字溝によれば、Ｕ字溝を該Ｕ字溝の長手方向に順次一方のＵ字溝の一方突出部の平坦な面と他方のＵ字溝の他方突出部の平坦な面とを当接して、一方のＵ字溝の一方基部と他方のＵ字溝の他方基部の面にモルタル等の固定材を充填して簡易且つ迅速にＵ字溝を該Ｕ字溝の長手方向に順次固定材を介して接続することができる。
【０００７】
また、請求項２記載のＵ字溝によれば、上述した請求項１記載の考案の効果に加え、一方基部一方端縁部の底面部からの高さは、一方突出部一方端縁部の底面部からの高さより低く、また、一方基部他方端縁部の底面部からの高さは、一方突出部他方端縁部の底面部からの高さより低く、また、他方基部一方端縁部の底面部からの高さは、他方突出部一方端縁部の底面部からの高さより低く、また  、他方基部他方端縁部の底面部からの高さは、他方突出部他方端縁部の底面部からの高さより低いため、つまり、一方突出部及び他方突出部の上端面が第１の立設部及び第２の立設部の上端面より低いため、該低くなった部位へモルタル等の固定材を充填すれば、容易に目地を形成することができる。
【考案を実施するための最良の形態】
【０００８】
本考案の一実施例のＵ字溝を図面を参照して説明する。
図１乃至図６において、１は側溝に用いられるものとしてＵ字溝である。図１及び図２に示す１０は、底面部１１、該底面部１１の一方側から立ち上がった第１の立設部１２、底面部１１の他方側から立ち上がった第２の立設部１３を有する。
１４は、図１に示すように、Ｕ字溝本体１０の長手方向の一方の端面である一方端面部である。
１５は、図２に示すように、Ｕ字溝本体１０の長手方向の他方の端面である他方端面部である。
【０００９】
一方端面部１４は、一方基部１４ａと一方突出部１４ｂとを有している。一方基部１４の外縁部は、外側に位置するＵ字形状の一方基部外側Ｕ字形状縁部１４ａ１と、内側に位置するＵ字形状の一方基部内側Ｕ字形状縁部１４ａ２と、一方基部外側Ｕ字形状縁部１４ａ１の一方の端部と一方基部内側Ｕ字形状縁部１４ａ２の一方の端部とを接続する一方基部一方端縁部１４ａ３と、一方基部外側Ｕ字形状縁部１４ａ１の他方の端部と一方基部内側Ｕ字形状縁部１４ａ２の他方の端部とを接続する一方基部他方端縁部１４ａ４とで構成されている。
【００１０】
また、一方突出部１４ｂの外縁部は、外側に位置するＵ字形状の一方突出部外側Ｕ字形状縁部１４ｂ１と、内側に位置するＵ字形状の一方突出部内側Ｕ字形状縁部１４ｂ２と、一方突出部外側Ｕ字形状縁部１４ｂ１の一方の端部と一方突出部内側Ｕ字形状縁部１４ｂ２の一方の端部とを接続する一方突出部一方端縁部１４ｂ３と、一方突出部外側Ｕ字形状縁部１４ｂ１の他方の端部と一方突出部内側Ｕ字形状縁部１４ｂ２の他方の端部とを接続する一方突出部他方端縁部１４ｂ４とで構成されている。
【００１１】
そして、一方基部外側Ｕ字形状縁部１４ａ１と一方基部内側Ｕ字形状縁部１４ａ２とは、図１に示すように、略平行となっている。また、一方突出部外側Ｕ字形状縁部１４ｂ１と一方突出部内側Ｕ字形状縁部１４ｂ２とは、図１に示すように、略平行となっている。そして、一方基部外側Ｕ字形状縁部１４ａ１と一方突出部外側Ｕ字形状縁部１４ｂ２とは、同面となっている。また、一方基部一方端縁部１４ａ３の底面部１１からの高さＨは、一方突出部一方端縁部１４ｂ３の底面部１１からの高さｈより低く（Ｈ＞ｈ）、また、一方基部他方端縁部１４ａ４の底面部１１からの高さＨは、一方突出部他方端縁部１４ａ４の底面部１１からの高さｈより低くなっている（Ｈ＞ｈ）。
【００１２】
他方端面部１５は、上述した一方端面部１４と同様に、他方基部１５ａと  他方突出部１５ｂとを有している。他方基部１５の外縁部は、外側に位置するＵ字形状の他方基部外側Ｕ字形状縁部１５ａ１と、内側に位置するＵ字形状の他方基部内側Ｕ字形状縁部１５ａ２と、他方基部外側Ｕ字形状縁部１５ａ１の一方の端部と他方基部内側Ｕ字形状縁部１５ａ２の一方の端部とを接続する他方基部一方端縁部１５ａ３と、他方基部外側Ｕ字形状縁部１５ａ１の他方の端部と他方基部内側Ｕ字形状縁部１５ａ２の他方の端部とを接続する他方基部他方端縁部１５ａ４とで構成されている。
【００１３】
また、他方突出部１５ｂの外縁部は、外側に位置するＵ字形状の他方突出部外側Ｕ字形状縁部１５ｂ１と、内側に位置するＵ字形状の他方突出部内側Ｕ字形状縁部１５ｂ２と、他方突出部外側Ｕ字形状縁部１５ｂ１の一方の端部と他方突出部内側Ｕ字形状縁部１５ｂ２の一方の端部とを接続する他方突出部一方端縁部１５ｂ３と、他方突出部外側Ｕ字形状縁部１５ｂ１の他方の端部と他方突出部内側Ｕ字形状縁部１５ｂ２の他方の端部とを接続する他方突出部他方端縁部１５ｂ４とで構成されている。
【００１４】
そして、他方基部外側Ｕ字形状縁部１５ａ１と他方基部内側Ｕ字形状縁部１５ａ２とは、図２に示すように、略平行となっている。また、他方突出部外側Ｕ字形状縁部１５ｂ１と他方突出部内側Ｕ字形状縁部１５ｂ２とは、図２に示すように、略平行となっている。そして、他方基部外側Ｕ字形状縁部１５ａ１と他方突出部外側Ｕ字形状縁部１５ｂ２とは、同面となっている。また、他方基部一方端縁部１５ａ３の底面部１１からの高さＨは、他方突出部一方端縁部１５ｂ３の底面部１１からの高さｈより低く（Ｈ＞ｈ）、また、他方基部他方端縁部１５ａ４の底面部１１からの高さＨは、他方突出部他方端縁部１５ａ４の底面部１１からの高さｈより低くなっている（Ｈ＞ｈ）。
【００１５】
従って、この実施例のＵ字溝１によれば、図３及び図４に示すように、Ｕ字溝１を該Ｕ字溝１の長手方向に順次一方のＵ字溝１の一方突出部１４ｂの平坦な面Ａと他方のＵ字溝１の他方突出部１５ｂの平坦な面Ｂとを当接して、一方のＵ字溝１の一方基部１４ａと他方のＵ字溝１の他方基部１５ａの面にモルタル等の固定材Ｋを充填して簡易且つ迅速にＵ字溝１を該Ｕ字溝１の長手方向に順次接続することができる。
特に、一方基部一方端縁部１４ａ３の底面部１１からの高さＨは、一方突出部一方端縁部１４ｂ３の底面部１１からの高さｈより低く、また、一方基部他方端縁部１４ａ４の底面部１１からの高さＨは、一方突出部他方端縁部１４ｂ４の底面部１１からの高さｈより低く、また、他方基部一方端縁部１５ａ３の底面部１１からの高さＨは、他方突出部一方端縁部１５ｂ３の底面部１１からの高さｈより低く、また、他方基部他方端縁部１５ａ４の底面部１１からの高さＨは、他方突出部他方端縁部１５ｂ４の底面部１１からの高さｈより低いため、つまり、一方突出部１４ｂ及び他方突出部１５ｂの上端面が第１の立設部１２及び第２の立設部１３の上端面より低いため、該低くなった部位へモルタル等の固定材Ｋを充填すれば、容易に目地を形成することができる。
【図面の簡単な説明】
【００１６】
【図１】図１は、本考案の一実施例であるＵ字溝の一方端面部側からの概略的斜視図である。
【図２】図２は、図１のＵ字溝の他方端面部側からの概略的斜視図である。
【図３】図３は、図１の概略的平面図である。
【図４】図４は、図１のＵ字溝を該Ｕ字溝の長手方向に接続した状態の概略的断面図である。
【図５】図５は、図４の概略的一部平面図である。
【図６】図６は、図５の６−６線による概略的断面図である。
【符号の説明】
【００１７】
１    …………Ｕ字溝
１０  …………Ｕ字溝本体
１１  …………底面部
１２  …………第１の立設部
１３  …………第２の立設部
１４  …………一方端面部
１４ａ…………一方基部
１４ｂ…………一方突出部
１５  …………他方端面部
１５ａ…………他方基部
１５ｂ…………他方突出部
【図１】
0003115562.tif 000003
【図２】
0003115562.tif 000004
【図３】
0003115562.tif 000005
【図４】
0003115562.tif 000006
【図５】
0003115562.tif 000007
【図６】
0003115562.tif 000008